(57)【要約】【課題】特定人のみが使用済みのレンズ付きフイルムユニットを回収する。【解決手段】自動現像サービス機４１の内部には、ロック機構７５を備えたボディ収納箱６５が設けてある。カートリッジ取出機構でフイルムユニットからフイルムカートリッジを抜き出した後のユニットボディが筒部材６６を通ってボディ収納箱６５内に落下する。筒部材６６を通過するユニットボディがセンサ７３によって検知され、ユニットボディの個数がカウントされる。この個数が最大個数Ｐに達すると、特定の回収業者に通報され、投入口の回動カバーがロックされる。特定の回収業者のみが所有する鍵によってロック機構７５のロックが解除され、扉７０が開かれてボディ収納箱６５からユニットボディが回収される。ロック機構７５の破壊等の異常があった時には、無線により通報され、警報装置が作動して大きな音が出る。【選択図】　　　　図４
2004061759.tif 000002
【特許請求の範囲】
【請求項１】
予め未露光の写真フイルムを収納し、露光した写真フイルムを１コマずつフイルム巻取り室に巻き込むレンズ付きフイルムユニットをその使用後に回収して現像処理を行うレンズ付きフイルムユニットの自動現像サービス機において、
使用済みになったレンズ付きフイルムユニットが投入される投入口と、
投入口から投入されたレンズ付きフイルムユニットの巻上げノブを回動させ、写真フイルムをフイルム巻取り室内に巻き込むフイルム巻き込み手段と、
フイルム巻取り室の一部を開放し、写真フイルムをフイルム巻取り室から外部に取り出すフイルム取り出し手段と、
フイルム巻取り室から取り出された写真フイルムを現像処理する現像処理手段と、
現像済みの写真フイルムからプリント写真を作成するプリント手段と、
現像済みの写真フイルムとプリント写真とを返却する返却口と、
写真フイルムを取り出した後のレンズ付きフイルムユニットを収納し、開閉扉にロック手段を有する収納箱とを備えたことを特徴とするレンズ付きフイルムユニットの自動現像サービス機。
【請求項２】
前記収納箱に収納されているレンズ付きフイルムユニットの数をカウントするカウント手段と、
このカウント手段によるカウント値が所定値に達した際に警告を発する警告手段とを備えたことを特徴とする請求項１記載のレンズ付きフイルムユニットの自動現像サービス機。
【請求項３】
前記収納箱のロック手段が破壊される等の異常を検知する検知手段を備えたことを特徴とする請求項１または２記載のレンズ付きフイルムユニットの自動現像サービス機。
【発明の詳細な説明】
【０００１】
【発明の属する技術分野】
本発明は、使用済みのレンズ付きフイルムユニットを正規の特定人のみが回収するレンズ付きフイルムユニットの自動現像サービス機に関するものである。
【０００２】
【従来の技術】
低価格で手軽に写真撮影を楽しむことができるように、本出願人よりレンズ付きフイルムユニットが市販されている。レンズ付きフイルムユニットは、簡単な撮影機構を組み込んだユニット本体に予め未露光の写真フイルムを内蔵したもので、購入したその場ですぐに写真撮影ができ、また撮影後にもそのまま現像取扱店に出せばよいという簡便性から一般に広く利用されている。
【０００３】
ユニット本体は、写真フイルムが光密に装填された本体基部と、その本体基部を前面側及び背面側から覆う前カバー及び後カバーとで構成されている。本体基部の両側方には、フイルムカートリッジ収納用のカートリッジ室と、フイルムカートリッジから引き出してロール状にした写真フイルムを収納するフイルム室とが設けられている。後カバーは、本体基部の背面を覆うように背後に取り付けられており、その後カバーには、カートリッジ室とフイルム室との底面を塞ぐ底蓋とが形成されている。底蓋は、本体基部に後カバーを取り付けた後に閉鎖され、カートリッジ室及びフイルム室内を光密に塞ぐ。底蓋は、現像所でフイルムカートリッジを取り出す際に開放される。
【０００４】
環境保全や産業廃棄物の削減等を図るために、レンズ付きフイルムユニットはリユース・リサイクルが積極的に進められている。このため、現像取扱店で写真フイルムが取り出されたレンズ付きフイルムユニットは、製造メーカが運営する循環工場に送られる。循環工場では、前カバー及び後カバーに用いられている樹脂部材等は溶解して樹脂ペレットにして再生利用（リサイクル）される。また、前カバー及び後カバーで保護されている内部部品等は、検査を行い、良好なものをそのまま再利用、又、不良品は不良箇所を修正して再利用（リユース）する。
【０００５】
一方、特開平４−４３３４９号公報には、自動現像サービス機が記載されている。この自動現像サービス機は、撮影済みのレンズ付きフイルムユニットを装填部にセットすると、写真フイルムをユニット本体から引き出してフイルム処理部に送るとともに、空になったユニット本体を回収箱に排出する。フイルム処理部に送られた写真フイルムは現像され、露光部でカラーペーパーに焼付露光される。料金の精算が済んだ後、ネガフイルム及びプリント写真は写真取出し部に投下される。
【０００６】
【発明が解決しようとする課題】
上述した現像取扱店，自動現像サービス機のいずれにおいても、レンズ付きフイルムユニットを製造したメーカー以外の第三者が、写真フイルムを取り出した後のユニット本体を勝手に流用して、新たなカートリッジを装填したものが市場に出回るおそれがある。
【０００７】
本発明は、使用済みのレンズ付きフイルムユニットを製造メーカ等の正規の特定人のみが回収できるレンズ付きフイルムユニットの自動現像サービス機を提供することを目的とする。
【０００８】
【課題を解決するための手段】
上記目的を達成するために、本発明の自動現像サービス機は、予め未露光の写真フイルムを収納し、露光した写真フイルムを１コマずつフイルム巻取り室に巻き込むレンズ付きフイルムユニットをその使用後に回収して現像処理を行うレンズ付きフイルムユニットの自動現像サービス機において、使用済みになったレンズ付きフイルムユニットが投入される投入口と、投入口から投入されたレンズ付きフイルムユニットの巻上げノブを回動させ、写真フイルムをフイルム巻取り室内に巻き込むフイルム巻き込み手段と、フイルム巻取り室の一部を開放し、写真フイルムをフイルム巻取り室から外部に取り出すフイルム取り出し手段と、フイルム巻取り室から取り出された写真フイルムを現像処理する現像処理手段と、現像済みの写真フイルムからプリント写真を作成するプリント手段と、現像済みの写真フイルムとプリント写真とを返却する返却口と、写真フイルムを取り出した後のレンズ付きフイルムユニットを収納し、開閉扉にロック手段を有する収納箱とを備えたものである。また、前記収納箱に収納されているレンズ付きフイルムユニットの数をカウントするカウント手段と、このカウント手段によるカウント値が所定値に達した際に警告を発する警告手段とを備えたものである。また、前記収納箱のロック手段が破壊される等の異常を検知する検知手段を備えたものである。
【０００９】
【発明の実施の形態】
レンズ付きフイルムユニットの外観を示す図１において、レンズ付きフイルムユニット（以下、フイルムユニットと記す）２は、写真フイルムが装填され各種撮影機構が組み込まれたユニット本体３と、このユニット本体３の外周に巻き付けられるようにして貼付される外装ラベル４とからなる。外装ラベル４には、ユニット本体３の各部を露呈させるための開口が形成されている。
【００１０】
ユニット本体３は、その前面に、撮影レンズ５，ファインダ対物窓６，ストロボ発光部７，ストロボ操作ノブ８等が、上面に、レリーズボタン９，カウンタ表示窓１０，充電完了表示部材１１等が、背面に、撮影後の写真フイルム巻き上げに用いられる巻上げノブ１２がそれぞれ設けられている。また、ユニット本体３は、その前面に、２つの位置決め孔１３が形成されており、自動現像サービス機でフイルムユニット２の機種を識別するため、また、フイルムユニット２を固定するために用いられる。
【００１１】
図２に示すように、ユニット本体３は、前カバー１４，本体基部１５，露光ユニット１６，ストロボユニット１７，フイルムカートリッジ１８，後カバー１９から構成されている。なお、ユニット本体３のうちフイルムカートリッジ１８を除く前カバー１４，本体基部１５，露光ユニット１６，ストロボユニット１７，後カバー１９からなる部分をユニットボディ２０という。
【００１２】
フイルムカートリッジ１８はカートリッジ本体２１とこのカートリッジ本体２１内に収納される写真フイルム２２とからなる。また、カートリッジ本体２１内には、写真フイルム２２が巻き付けられるスプールと、このスプールの回転によってカートリッジ本体２１内から写真フイルム２２を送り出すフイルム送出し機構とが組み込まれている。
【００１３】
本体基部１５の両側方には、カートリッジ本体２１が収納されるカートリッジ収納室２３と、カートリッジ本体２１から引き出されてロール状に巻かれた未露光の写真フイルム２２が収納されるフイルム収納室２４とが一体に設けられている。フイルム収納室２４は、露光位置に未露光の写真フイルムを供給するフイルム供給室となり、カートリッジ収納室２３は露光済みの写真フイルムを巻き込んで収納するフイルム巻取り室となる。
【００１４】
カートリッジ収納室２３の上には、巻上げノブ１２が回転自在に設けられている。巻上げノブ１２は、一部が後カバー１９から露呈している。巻上げノブ１２を反時計方向に回転させることによって、未露光の写真フイルム２２がフイルム収納室２４から引き出され、これと同時に露光済みの写真フイルム２２がカートリッジ本体２１の内部に収納される。
【００１５】
露光ユニット１６は、本体基部１５の前面中央部に設けられている。露光ユニット１６は、その中央部に撮影レンズ５を保持し、撮影レンズ５後方に設けられたシャッタ羽根　（図示せず）　を開閉することによって、写真フイルムに被写体像が露光される。
【００１６】
ストロボユニット１７は、複数の電気部品が取り付けられてストロボ回路が形成された回路基板３１と、この回路基板３１に取り付けられ、放電管やリフレクタ，拡散板等からなるストロボ発光部７と、回路基板３１に取り付けられ、ストロボユニット１７の電源となる電池３２を電気的に接続する電池接片３３と、フイルム収納室２４の前面に取り付けられ、ストロボ操作ノブ８のオン位置へのスライド操作によって回路基板３１の接点部に接触しストロボ回路にストロボ充電を行わせる金属接片３４と、回路基板３１に取り付けられ、露光ユニット１６のシャッタレリーズ機構のレリーズ動作に連動してオンするシンクロスイッチ３５とからなる。また、回路基板３１とストロボ操作ノブ１８との間には、ストロボ操作ノブ１８をスライド自在に保持する受け板３６が配置されている。
【００１７】
後カバー１９は、本体基部１５の背面を覆うように背後に取り付けられる。この後カバー１９には、ファインダ接眼窓３７と、カートリッジ収納室２３とフイルム収納室２４との底面を塞ぐ底蓋１９ａ，１９ｂとが一体に形成されている。底蓋１９ａ，１９ｂは、本体基部１５に後カバー１９を取り付けた後に閉鎖され、カートリッジ収納室２３及びフイルム収納室２４内を光密に塞ぐ。
【００１８】
前カバー１４は、前面に撮影レンズ５，ストロボ発光部７，ストロボ操作ノブ８等をそれぞれ露呈させる開口１４ａが形成されており、本体基部１５，露光ユニット１６の前面を覆う。また、２つの位置決め孔１３は、前カバー１４前面に設けられているが、ユニット本体３内部まで貫通していない。
【００１９】
フイルムユニット２の現像処理を自動的に行う自動現像サービス機を示す図３において、自動現像サービス機４１は、金属製の箱であり、本体部４１ａとその本体部４１ａの前面を覆う扉４１ｂとで構成されている。この扉４１ｂは、特定人以外の人間が容易に開くことができないように通常は鍵等のロック手段によりロックされている。
【００２０】
自動現像サービス機４１は、その前面に、使用済みのフイルムユニット２を投入するためのユニット投入口４２，内部にＬＣＤパネルを視認可能に備えたガラス製の表示部４３，小銭用料金投入口４５，札用料金投入口４６，取り扱いができない他社製機種等のフイルムユニットを返却するユニット返却口４７，お釣りや操作途中でキャンセルした場合の料金を返却する料金返却口４８，現像済みの写真フイルム２２が収納されたカートリッジ本体２１とプリント写真が返却される写真返却口４９が設けられている。なお、その他にも、操作説明５０や、製造企業名称５１が視認できる。
【００２１】
ユニット投入口４２は、回動カバー５２で覆われており、回動カバー５２を手前方向に回動させることによって開放される。また、フイルムユニット２を投入禁止の場合、回動カバー５２はロックされ、ユニット投入口４２は開放されない。なお、フイルムユニット２は、その前面を上向きに、正面から見て右側端を先頭にしてユニット投入口４２に投入する。
【００２２】
扉４１ｂを開いた状態の自動現像サービス機４１を示す図４において、扉４１ｂは、本体部４１ａの、正面から見て左側端部で回動自在に軸着されている。扉４１ｂの内面には、自動現像サービス機４１を制御するシステムコントローラ等が実装されている基板　（図示せず）　が取り付けられており、金属製のカバー５３で覆われている。
【００２３】
カバー５３は、その背面に２つの開口５３ａ，５３ｂが形成されている。開口５３ａには、ケーブル５４が挿入されており、本体部４１ａに配置される電気回路と基板とを電気的に接続している。なお、本体部４１ａは、電源電圧を供給するための電源コンセント（図示せず）を備えており、基板上の素子は、ケーブル５４を通じて電源が供給される。
【００２４】
開口５３ｂは、その内部に配置されているコネクタ　（図示せず）　を露呈するために設けられている。コネクタが、通信ケーブルを介し、携帯型の端末　（図示せず）　と電気的に接続されることによって、端末は、自動現像サービス機４１に保存されているデータを取り込むことができる。また、扉４１ｂの内面には、投入口４２から投入されたフイルムユニット２を本体部４１ａに送るためのスロープ５５と、取扱外のフイルムユニットをユニット返却口４７に排出するスロープ５６と、お釣り等を料金返却口４８に排出するスロープ５７と、プリント写真等を写真返却口４９に排出するスロープ５８とが取り付けられている。
【００２５】
本体部４１ａは、その内部に金属製のカバー部材５９が備えられており、その内部には、フイルムユニット２の機種識別を行う機種識別機構６０と、フイルムユニット２からフイルムカートリッジ１８を取り出すカートリッジ取出機構６１と、フイルムカートリッジ１８内の写真フイルム２２を自動的に現像処理する現像処理部６２とが配置されている（図６参照）。
【００２６】
カバー部材５９は、その前面に、フイルムユニット２が通過可能な開口５９ａが形成されており、ユニット投入口４２の背面に配置されているスロープ５５と対面している。開口５９ａ内部の底面が斜面になっているため、ユニット投入口４２から投入されたフイルムユニット２は、スロープ５５，開口５９ａを介して、カバー部材５９内部に投入される。
【００２７】
カバー部材５９の下方には、ユニットボディ２０を収納するボディ収納箱６５と４つの筒部材６６〜６９が設けられている。筒部材６６はボディ収納箱６５に連結されている。また、筒部材６７〜６９の端部には、開口６７ａ〜６９ａが形成されており、ユニット返却口４７の背面に配置されるスロープ５６，料金返却口４８の背面に配置されるスロープ５７，写真返却口４９の背面に配置されるスロープ５８にそれぞれ対面している。
【００２８】
ボディ収納箱６５は、金庫のように頑丈な金属製であり、扉７０は通常ロックされている。このロックを外すためには、鍵穴７１に適合した専用の鍵が必要である。この専用の鍵は、フイルムユニット２の正規の製造メーカもしくはその製造メーカから依頼を受けた特定の回収業者のみが所有しており、第三者が扉７０を開けることはできないようにされている。これにより、使用済みのユニットボディ２０が詰替え業者に渡ることを防止できる。
【００２９】
また、筒部材６６のボディ収納箱６５近傍には、筒部材６６内を落下してくるユニットボディ２０の検出を行うセンサ７３が設けられている。このセンサ７３からの出力信号が後述するシステムコントローラ１００に入力され、ユニットボディ２０の個数がボディ収納箱６５に適正に収納可能な最大個数Ｐに達すると、例えば無線通信回線を通じて特定の回収業者に通知される。
【００３０】
また、ボディ収納箱６５内には、扉６５の開閉を監視するセンサ７４が設けられており、システムコントローラ１００に蓄積された個数データは、扉７０が開かれた際にリセットされる。また、鍵穴７１の背後に設けられたロック機構７５の近傍には、センサ７６が設けられており、所定の鍵によるロック解除を除く他の方法、例えばロック機構７５の破壊によって扉６５のロックが解除された場合には、センサ７６からの信号によってシステムコントローラ１００が無線装置１０５（図６参照）を使って管理者又は特定の回収業者に通報する。これと同時に、警報装置１０８（図６参照）を作動して大きな警告音を発する。
【００３１】
図５において、機種識別機構６０は、フイルムユニット２を搬送する搬送ベルト７８，搬送ベルト７８近傍の縁部で回動自在な平板状の回動板７９，フイルムユニット２を撮像するためのＣＣＤイメージセンサ８０等で構成されている。
【００３２】
搬送ベルト７８は、回動自在な２本のローラ８１ａ，８１ｂにかけ渡されたゴム製の無端ベルトであり、ローラ８１ａ，８１ｂは、モータＭ１で回転制御される。なお、搬送ベルト７８の表面には、フイルムユニット２を滑らせないように、凹凸が形成されている。
【００３３】
フイルムユニット２は、搬送ベルト７８によって回動板７９上に搬送される。回動板７９の上面には、ストッパ８２が備えられている。ストッパ８２は、フイルムユニット２を停止させる場合、回動板７９の面に対して垂直に突出している。また、回動板７９には、ストッパ８２を収納する溝部７９ａが形成されており、フイルムユニット２を通過させる場合、回動板７９の面から突出しないように倒伏される。また、ストッパ８２には、フイルムユニット２がストッパ８２に当接したことを検知するセンサ　（図示せず）　が配置されている。
【００３４】
押圧片８４は、回動板７９の側方に配置されており、フイルムユニット２の搬送方向と垂直に移動する。また、回動板７９を挟んで押圧片８４と逆側には、被押圧片８５が配置されている。ストッパ８２とフイルムユニット２の側面とが当接したことをセンサが検知すると、押圧片８４がフイルムユニット２上面を押圧する。フイルムユニット２は、その上面を、押圧片８４に押圧されることによって、被押圧片８５に当接する。フイルムユニット２は、その長手方向が搬送方向に対して平行に配置されるとともに、ストッパ８２及び被押圧片８５に当接する。これによって、フイルムユニット２が指定の位置に配置される。
【００３５】
機種識別機構６０の上方には、ＣＣＤイメージセンサ８０が配置されており、フイルムユニット２が指定の位置に配置されると、フイルムユニット２を撮像し、その撮像画像から位置決め孔１３の位置を検出し、フイルムユニット２の機種識別が行われる。
【００３６】
回動板７９は、搬送ベルト７８近傍の縁部で回動自在に軸着されており、回動することにより、フイルムユニット２を分別する。回収可能なフイルムユニット２が搬送されてきた場合、搬送方向と平行のまま保持し、ストッパ８２を溝部７９ａに収納する。これによって、フイルムユニット２は、カートリッジ取出機構６１方向に導かれる。
【００３７】
また、他社製品等の回収不可能なフイルムユニットが搬送されてきた場合、下方向に回動し、回動板７９の下方に備えられた筒部材６７に排出する。なお、回収可能な機種であっても、その方向を誤って投入されたフイルムユニット２であれば筒部材６７に排出され、また、フイルムユニット以外のものを投入しても同様の処理が行われる。
【００３８】
カートリッジ取出機構６１は、搬送ベルト８６，回動板８７，フイルム巻上げユニット８８，カートリッジ取出ユニット８９等で構成されている。搬送ベルト８６は、搬送ベルト７８と同じものであり、モータＭ２の稼動によってフイルムユニット２を搬送する。また、ストッパ９０，押圧片９１，被押圧片９２も、トッパ７４，押圧片８４，被押圧片８５と同じものであり、フイルムユニット２を指定の位置に配置させる。
【００３９】
指定位置の上方には、２本の突起９３が配置されている。フイルムユニット２が指定の位置に配置されることによって、機種識別した際に検出した位置決め孔１３に突起９３が挿入される。そして、所定の位置まで挿入され、フイルムユニット２を固定することによって、この後記述するフイルム巻上げ処理や、カートリッジ取出処理等を容易に実施できる。
【００４０】
フイルム巻上げユニット８８は、レリーズボタン９を押圧するボタン押圧バー９４と、巻上げノブ１２を回動させるノブ回動ローラ９５と、撮影レンズ５を遮蔽するレンズカバー９６とで構成される。レンズカバー９６が撮影レンズ５を遮蔽するように配置されるとともに、ボタン押圧バー９４がレリーズボタン９を押圧した状態で、ノブ回動ローラ９５を巻上げノブ１２に当接させ、回動させる。これによって、フイルム収納室２４内に残っている写真フイルム２２をフイルムカートリッジ１８に収納させる。なお、レリーズボタン９，巻上げノブ１２，撮影レンズ５の位置は、予め機種ごとに登録されている。
【００４１】
カートリッジ取出ユニット８９は、底蓋１９ａを開放する開放フック９７とカートリッジ取出バー９８で構成される。開放フック９７は、爪部９７ａと、その爪部９７ａを支持する支持バー９７ｂから構成されている。爪部９７ａを底蓋１９ａと前カバー１４との間に挿入し、支持バー９７ｂを搬送方向に対して垂直に動かすことによって、底蓋１９ａを開放し、カートリッジ収納室２３内部を露呈する。
【００４２】
カートリッジ取出バー９８は、カートリッジ収納室２３内部に収納されているフイルムカートリッジ１８の中心に挿入される。カートリッジ取出バー９８を搬送方向に対して垂直方向に移動させると、フイルムカートリッジ１８は、カートリッジ取出バー９８とともに、カートリッジ収納室２３外部に取り出される。この後、カートリッジ取出バー９８は、フイルムカートリッジ１８を保持したまま奥に設けられた現像処理部６２に移動する。現像処理部６２には、フイルムカートリッジ１８を把持してカートリッジ取出バー９８から抜き取り、現像処理部６２のカートリッジセット部にセットするロボットハンド（図示せず）が設けられている。
【００４３】
回動板８７は、機種識別機構６０の回動板７９と同じものであり、フイルムカートリッジ１８を取り出したユニットボディ２０を回動板８７の下方に配置された筒部材６６に投入する。投入されたユニットボディ２０は、筒部材６６を介してボディ収納箱６５に排出される。
【００４４】
自動現像サービス機４１の電気的構成を示す図６において、システムコントローラ１００は、信号の入力に応じて自動現像サービス機４１の各部を制御する。システムコントローラ１００は、制御用シーケンスのプログラムやパラメータ等が格納されているＲＯＭと、このプログラムにしたがってシーケンスを実行するＣＰＵと、各種シーケンスの遂行に必要なデータを一時的に格納するワークエリアとして用いられるＲＡＭとで構成されている。
【００４５】
撮像ユニット１０１は、前述のＣＣＤイメージセンサ８０，アンプ，Ａ／Ｄ変換機等の素子で構成されている。ＣＣＤイメージセンサ８０で結像された画像は、増幅，デジタル変換され、信号補正が行われた後に出力される。画像処理部１０２は、撮像ユニット１０１から出力された画像信号を解析し、フイルムユニット２の位置決め孔１３の位置を検出する。
【００４６】
また、画像処理部１０２は、ＬＣＤドライバ１０３に表示画像の出力を行う。ＬＣＤドライバ１０３は、ＬＣＤパネル１０４に表示できるように画像信号を変換し、ＬＣＤパネル１０４は、その画像信号に応じた画像を表示する。なお、ＬＣＤパネル１０４はタッチパネルになっており、表示部４３を通してＬＣＤパネル１０４の画面をタッチすることによって選択操作を行うことができる。
【００４７】
システムコントローラ１００には、料金算出部１０６が接続されており、フイルムユニット２の投入後に作動して、選択されたコースと、フイルムユニット２の機種（２４枚撮りか３６枚撮りか）と、プリントサイズとに従って、請求金額を算出する。また、選択されたコースが同時プリントの場合には、ネガの状態によって予定されたプリント枚数と実際のプリント枚数とに差が生じることがあるから、料金算出部１０６は、その差額を算出し、システムコントローラ１００にその結果を通知する。
【００４８】
また、システムコントローラ１００には、プリント処理部１０７が接続されている。プリント処理部１０７は、現像処理部６２から現像済みの写真フイルム２２が搬入されると、システムコントローラ１００の指示に従って、全てのコマをマトリクス状にプリントするインデックスプリントや各コマのプリント写真をカラーペーパーに焼き付ける。
【００４９】
ＬＣＤパネル１０４には、図７（Ａ）に示すように、同時プリントコース１１１，現像＆インデックスプリントコース１１２の選択画面が受け待ち画面として表示されている。表示部４３を通してＬＣＤパネル１０４の画面をタッチして、いずれか一方を選択する。
【００５０】
同時プリントコースを選択した場合には、図７（Ｂ）に示すように、Ｌサイズ１１３，２Ｌサイズ１１４のうち一方を選択するプリントサイズ選択画面に切り替わる。ここで、同時プリントコース１１１をやめて、現像＆インデックスプリントコース１１２を選択し直す場合には、戻るマーク１１５をタッチする。
【００５１】
同時プリントコース１１１及びサイズ選択が終了した後、またはインデックスプリントコース１１２を選択した後、図７（Ｃ）に示すように、確認画面が表示されるから、よければスタートマーク１１６、止める場合には戻るマーク１１７をタッチする。
【００５２】
スタートマーク１１６をタッチすると、図７（Ｄ）に示すように、フイルムユニット２の投入指示が表示される。フイルムユニット２を投入した後、間もなく、図８（Ａ）に示すように、料金を請求する画面が表示されるから、表示金額を小銭用料金投入口４５，札用料金投入口４６に投入する。この後、図７（Ｄ）に示すような表示がＬＣＤパネル１０４に出るから、しばらく待っていると、現像済みの写真フイルム２２が収納されたカートリッジ本体２１とプリント写真とが写真返却口４９に排出された後、図７（Ａ）に示す表示に戻る。
【００５３】
このように構成された自動現像サービス機４１の作用を図９に示すフローチャートを参照して説明する。まず、ユーザーは表示部４３を通してＬＣＤパネル１０４をタッチし、例えば表示部４３に表示されているコース１１１，１１２から同時プリントコース１１１を選択する（図７（Ａ））。
【００５４】
プリントサイズを選択する画面（図７（Ｂ））に切り替わるから、例えば、Ｌサイズプリント１１３を選択すると、回動カバー５１が回動自在になる。ユーザーは、回動カバー５１を開き、撮影済みのフイルムユニット２をセットし、回動カバー５１を閉める。ユニット投入口４２から投入されたフイルムユニット２は、スロープ５５，開口５９ａを介し、機種識別機構６０に配置される。
【００５５】
システムコントローラ１００は、搬送ベルト７８を回動させ、フイルムユニット２を回動板７９方向に搬送させる。フイルムユニット２は、ストッパ８２によって停止する。センサがフイルムユニット２を検出すると、押圧片８４を搬送方向に対して垂直に可動させ、フイルムユニット２を指定の位置に配置する。そして、システムコントローラ１００は、搬送ベルト７８を停止させる。
【００５６】
ＣＣＤイメージセンサ８０は、フイルムユニット２を撮像し、画像処理部１０２に画像データを送る。画像処理部１０２は、画像データを解析し、位置決め孔１３の位置を検出し、機種識別を行う。
【００５７】
自動現像サービス機４１は、フイルムユニット２が回収できない機種、あるいは、回収可能な機種であるが、投入方向を誤ったと判断される場合、回動板７９を下方向に回動させる。ストッパ８２を回動板７９に対して平行にして、搬送ベルト７８を回動させる。これによって、フイルムユニット２は、回動板７９の下方に配置されている筒部材６７に投入され、返却口４７に排出される。また、表示部４３には、警告画像が表示される。なお、フイルムユニット２以外を投入しても同じように処理される。
【００５８】
また、フイルムユニット２が回収可能な機種であると判別すると、システムコントローラ１００は料金算出部１０６に指令してユーザーに請求すべき予想金額を算出させ、その結果を表示部４３に表示する（図８（Ａ））。この予想金額に従ってユーザーが料金を小銭用料金投入口４５，札用料金投入口４６に投入する。投入された料金が予想金額に満たない場合には、表示部４３に料金が足りない旨の警告が表示される。
【００５９】
投入された料金が表示金額以上である場合には、システムコントローラ１００は、ストッパ８２を回動板７９と平行に回動させ、搬送ベルト７８，８６を回動させる。これによって、フイルムユニット２は、カートリッジ取出機構６１方向に搬送される。
【００６０】
カートリッジ取出機構６１でも同様に、搬送ベルト８６，ストッパ９０，押圧片９１，被押圧片９２によって、フイルムユニット２を指定の位置に配置させる。２本の突起９３は、位置決め孔１３に挿入され、フイルムユニット２を固定する。レンズカバー９６が撮影レンズ５を遮蔽するように配置し、ボタン押圧バー９４がレリーズボタン９を押圧した状態で、ノブ回動ローラ９５を巻上げノブ１２に当接させ、回動させる。これによって、フイルム収納室２４内に残っている写真フイルム２２をフイルムカートリッジ１８に収納させる。
【００６１】
開放フック９７の爪部９７ａを底蓋１９ａと前カバー１４との間に挿入し、支持バー９７ｂを搬送方向に対して垂直に動かし、底蓋１９ａを開放する。カートリッジ取出バー９８は、フイルムカートリッジ１８の中心に挿入され、フイルムカートリッジ１８がカートリッジ取出バー９８とともにカートリッジ収納室２３外部に取り出される。
【００６２】
カートリッジ取出バー９８が現像処理部６２に移動すると、現像処理部６２に設けられたロボットハンドがフイルムカートリッジ１８を把持して所定のカートリッジセット位置にセットする。現像処理部６２では、フイルムカートリッジ１８の遮光蓋が回動された後、スプールが回転されて写真フイルム２２がカートリッジ本体２１から排出され、周知の現像処理工程を経て写真フイルム２２が現像される。この現像済みの写真フイルム２２は、プリント処理部１０７に送られ、インデックスプリント及び各コマのＬサイズプリントが所定のカラーペーパーに焼き付けられる。
【００６３】
プリント処理部１０７でのプリント処理工程が終了した後、現像済みの写真フイルム２２は、元のカートリッジ本体２１のスプールに係止された後、巻き戻されてカートリッジ本体２１内に収納される。このカートリッジ本体２１と、焼き付けられたインデックスプリント及びＬサイズプリントとが、写真返却口４９に排出される。
【００６４】
プリント処理部１０７では、許容範囲を超えるオーバー露光又はアンダー露光のコマは焼付を行わないから、システムコントローラ１００は、実際に焼付が行われたコマ数をチェックし、このデータを料金算出部１０６に送って実際の料金を算出する。システムコントローラ１００は、算出された実際の金額と、ユーザーが投入した金額とを比較して投入金額が多い場合には、その差額をお釣りとして料金返却口４８に返却する。逆に料金が少ない場合には、その差額を投入するように促す表示を表示部４３に表示する。
【００６５】
一方、フイルムカートリッジ１８の抜き取りが完了した後、回動板８７が下方向に回動してユニットボディ２０を筒部材６６に投入する。投入されたユニットボディ２０は、筒部材６６を介して、ボディ収納箱６５に収納され、回動板８７は初期状態に戻る。
【００６６】
ユニットボディ２０が筒部材６６を通過してボディ収納箱６５に落下する度に、センサ７６の出力信号がシステムコントローラ１００に入力される。システムコントローラ１００は、センサ７６からの出力信号をカウントしてボディ収納箱６５内の収納個数をチェックする。この収納個数が予め決めてあるボディ収納箱６５に適正に収納可能な最大個数Ｐに達すると、システムコントローラ１００は無線装置１０５に指令して特定の回収業者宛に警告信号を発するとともに、新たなフイルムユニット２が投入されないように回動カバー５２をロックする。
【００６７】
警告信号を受信した特定の回収業者は、自動現像サービス機４１の設置場所まで出向き、扉４１ｂのロックを外して扉４１ｂを開く。そして、鍵穴７１に合う特定の鍵を用いて扉７０のロックを外し、扉７０を開いてボディ収納箱６５からユニットボディ２０を回収する。回収されたユニットボディ２０は、循環工場に送られ、リユース・リサイクルされる。もし、特定の鍵を用いずに（特定の回収業者以外の人間が）扉７０のロック機構７５を破壊する等により扉７０が開かれた場合には、センサ７４，７６から警告が管理者または特定の回収業者に通知されると同時に警報装置１０８が作動して大きな警告音が発せられる。
【００６８】
最初の選択画面で現像＆インデックスプリントコース１１２を選んだ場合には、写真フイルム２２の現像とインデックスプリントのみが行われ、現像済みの写真フイルム２２を収納したカートリッジ本体２１とインデックスプリントが写真返却口４９に排出される。
【００６９】
以上説明した実施形態は、２種類のコースから選択するきわめて簡単な例であったが、プリントサイズや枚数を自由に指定したり、焼増し等の他のサービスを付加してもよい。この場合には、扉４１ｂの前面にキーボード等の入力機器を設けるとよい。また、フイルムユニットを投入してからユーザーはその場で待つようにしたが、予想される仕上がり時刻を印字した受取書を発行して、その受取書を当該時刻以降に自動現像サービス機に投入することにより、仕上がっているプリント写真等を受け取れるようにしてもよい。このようにすれば、連続的に多数のユーザーを受け付けることができる。
【００７０】
また、上記実施形態では、ＩＸ２４０タイプのフイルムカートリッジ１８を用いたフイルムユニット２であったが、例えば１３５タイプのものなど別の種類のカートリッジを使用したフイルムユニットでもよく、さらにはカートリッジ類を用いずに、フイルム巻取り室に写真フイルムを直接巻き込むようにしたフイルムユニットでもよい。
【００７１】
【発明の効果】
以上のように、本発明の自動現像サービス機によれば、使用済みになったレンズ付きフイルムユニットを投入することによりフイルム巻取り室から写真フイルムを取り出して現像処理・プリント処理を行うとともに、写真フイルムを取り出した後のレンズ付きフイルムユニットを収納する収納箱の開閉扉にロック手段を設けたので、ロック手段を解除できる製造メーカ等の正規の特定人のみが使用済みのレンズ付きフイルムユニットを回収できる。また、収納箱内のレンズ付きフイルムユニットの数をカウントして、この値が所定値に達した際に警告を発するようにすると、例えば収納箱がいっぱいになったらレンズ付きフイルムユニットの回収を行えばよいので、回収業者の無駄な巡回が不要になって回収費用の節約が図れる。また、収納箱のロック手段が破壊される等の異常を検知する検知手段を備えたので、使用済みのレンズ付きフイルムユニットが第三者に渡ることを少なくすることができる。
【図面の簡単な説明】
【図１】レンズ付きフイルムユニットの外観を示す斜視図である。
【図２】レンズ付きフイルムユニットを示す分解斜視図である。
【図３】自動現像サービス機の外観を示す斜視図である。
【図４】扉を開けた自動現像サービス機を示す斜視図である。
【図５】自動現像サービス機のカートリッジ取出機構等を示す説明図である。
【図６】自動現像サービス機の電気的構成を示すブロック図である。
【図７】自動現像サービス機の操作画面を示す説明図である。
【図８】自動現像サービス機の操作画面を示す説明図である。
【図９】自動現像サービス機のシーケンスの概略を示すフローチャートである。
【符号の説明】
２　レンズ付きフイルムユニット
３　ユニット本体
１３　位置決め孔
１８　フイルムカートリッジ
２０　ユニットボディ
４１　自動現像サービス機
４２　投入口
４３　表示部
４９　写真返却口
６０　機種識別機構
６１　カートリッジ取出機構
６２　現像処理部
６５　ボディ収納箱
６６〜６９　筒部材
７０　扉
７１　鍵穴
７３，７４，７６　センサ
７５　ロック機構
１００　システムコントローラ
１０５　無線装置
１０７　プリント処理部
１０８　警報装置
【図１】
2004061759.tif 000003
【図２】
2004061759.tif 000004
【図３】
2004061759.tif 000005
【図４】
2004061759.tif 000006
【図５】
2004061759.tif 000007
【図６】
2004061759.tif 000008
【図７】
2004061759.tif 000009
【図８】
2004061759.tif 000010
【図９】
2004061759.tif 000011